(57)【要約】      （修正有）【課題】子供用のサイズとしたものでありながら、サイズの変更に起因する音の劣化を抑制し、好適な共鳴音を得ることができる二胡を提供する。【解決手段】正面視多角形状の端面を構成する被覆面部２３を備える筒状の共鳴胴２２と、共鳴胴に一端側が固定された琴棹３１と、琴棹の他端側に設けられた糸巻部３２から共鳴胴の被覆面部に向けて張られた２本の琴弦３５と、琴棹の他端付近に設けられて琴棹の長さ方向中途部を支持する千斤３６と、被覆面部の中心部に固定されて琴弦を被覆面部から離間させる琴駒２４と、を備える二胡であって、共鳴胴の高さ寸法を基準寸法よりも所定寸法だけ小さくするとともに、共鳴胴の高さ寸法を含む琴棹の長さ寸法を基準寸法よりも所定寸法だけ小さくした。【選択図】図１
0003218556.tif 000002
【実用新案登録請求の範囲】
【請求項１】
正面視多角形状の端面を構成する被覆面部を備える筒状の共鳴胴と、
前記共鳴胴に一端側が固定された琴棹と、
前記琴棹の他端側に設けられた糸巻部から前記共鳴胴の前記被覆面部に向けて張られた２本の琴弦と、
前記琴棹の他端付近に設けられて前記琴棹の長さ方向中途部を支持する千斤と、
前記被覆面部の中心部に固定されて前記琴弦を前記被覆面部から離間させる琴駒と、
を備える二胡であって、
前記共鳴胴の高さ寸法を基準寸法よりも所定寸法だけ小さくするとともに、
前記共鳴胴の高さ寸法を含む前記琴棹の長さ寸法を基準寸法よりも所定寸法だけ小さくした、ことを特徴とする二胡。
【請求項２】
前記共鳴胴の高さ寸法を９０ｍｍである基準寸法に対して８５ｍｍとし、
前記共鳴胴の高さ寸法を含む前記琴棹の長さ寸法を８２ｃｍである基準寸法に対して７０ｃｍとした、ことを特徴とする請求項１に記載の二胡。
【請求項３】
前記共鳴胴の筒軸線方向に沿う奥行寸法を基準寸法と同じとした、ことを特徴とする請求項１又は請求項２に記載の二胡。
【考案の詳細な説明】
【技術分野】
【０００１】
本考案は、二胡に関し、特に、子供用に適した二胡に関する。
【背景技術】
【０００２】
従来から、胡琴類の楽器として中国の琴弦楽器である二胡が知られている、この二胡は、二本の琴弦を、主として馬の尾の毛を張った弓でこすることで演奏する楽器である。
【０００３】
また、このような二胡は周知であり、改良が施されたものも存在するが、いずれも大人用のものである（例えば、特許文献１，２参照）。
【０００４】
一方、同様に弓を用いて音を奏でるバイオリンは、世界的に広く普及していることと相まって、子供用に改良したものが周知である。この子供用のバイオリンは、幼児期から始める人も多いことから「分数バイオリン」と呼ばれている。
【０００５】
具体的には、大人用のフルサイズ（４／４サイズ）を基本として、子供の身長に合わせて順に３／４、２／４、１／４、１／８、（１／１０）、１／１６サイズがある。なお、１／１０サイズはもともとは存在していなかったが、１／８と１／１６とのサイズ差が大きいことから、その間のサイズとして後から設けられている。
【先行技術文献】
【特許文献】
【０００６】
【特許文献１】特開２０１０−４９２１９号公報
【特許文献２】実用新案登録第３２１０６７６号公報
【考案の概要】
【考案が解決しようとする課題】
【０００７】
しかしながら、このような先行技術文献に開示の二胡にあっては、バイオリンのように子供用が存在していないのが実情であった。
【０００８】
その結果、子供が二胡の奏法を学習する場合には、子供の体格には大きく、琴棹部の弦を指で押さえる際に、十分に押さえきれず、無理に弦を押さえようとすることにより、腕や手の体制や動作全体に不適切なクセが付き、成長した際にクセを修正しようとしてもなかなか修正することができないという問題があった。
【０００９】
なお、上述した分数バイオリンの場合、分数比率で全体を縮小しているために、高品質なバイオリンであってもフルサイズほど豊かな共鳴音が物理的に得られないという問題が生じていた。
【００１０】
本考案の課題は、上述のような課題を解決するために、子供用のサイズとしたものでありながら、サイズの変更に起因する音の劣化を抑制し、好適な共鳴音を得ることができる二胡を提供することにある。
【課題を解決するための手段】
【００１１】
本考案に係る二胡は、上記目的を達成のため、正面視多角形状の端面を構成する被覆面部を備える筒状の共鳴胴と、前記共鳴胴に一端側が固定された琴棹と、前記琴棹の他端側に設けられた糸巻部から前記共鳴胴の前記被覆面部に向けて張られた２本の琴弦と、前記琴棹の他端付近に設けられて前記琴棹の長さ方向中途部を支持する千斤と、前記被覆面部の中心部に固定されて前記琴弦を前記被覆面部から離間させる琴駒と、を備える二胡であって、前記共鳴胴の高さ寸法を基準寸法よりも所定寸法だけ小さくするとともに、前記共鳴胴の高さ寸法を含む前記琴棹の長さ寸法を基準寸法よりも所定寸法だけ小さくした、ものである。
【００１２】
本考案に係る二胡は、共鳴胴の高さ寸法を基準寸法よりも所定寸法だけ低くするとともに、共鳴胴の高さ寸法を含む琴棹の長さ寸法を基準寸法よりも所定寸法だけ短くした。
【００１３】
請求項２記載の考案は、前記共鳴胴の高さ寸法を９０ｍｍである基準寸法に対して８５ｍｍとし、前記共鳴胴の高さ寸法を含む前記琴棹の長さ寸法を８２ｃｍである基準寸法に対して７０ｃｍとした、ものである。
【００１４】
したがって、共鳴胴の高さ寸法の縮尺率（約６％）に対して、共鳴胴の高さ寸法を含む琴棹の長さ寸法の縮尺率（約１５％）を大きくした。
【００１５】
請求項３記載の考案は、前記共鳴胴の筒軸線方向に沿う奥行寸法を基準寸法と同じとした、ものである。
【００１６】
したがって、大人と子供との身長差に関わりのない共鳴胴の筒軸線方向に沿う奥行寸法は基準寸法のままとした。
【考案の効果】
【００１７】
本考案によれば、共鳴胴の高さ寸法を基準寸法よりも所定寸法だけ低くするとともに、共鳴胴の高さ寸法を含む琴棹の長さ寸法を基準寸法よりも所定寸法だけ短くした、ことにより、子供用のサイズとしたものでありながら、サイズの変更に起因する音の劣化を抑制し、好適な共鳴音を得ることができる。
【００１８】
請求項２記載の考案にあっては、共鳴胴の高さ寸法Ｌ２の縮尺率（約６％）に対して、共鳴胴の高さ寸法を含む琴棹の長さ寸法Ｌ１の縮尺率（約１５％）を大きくしたことにより、共鳴音の損失を最小限に留めることができ、サイズの変更に起因する音の劣化を抑制し、より好適な共鳴音を得ることができる。
【００１９】
請求項３記載の考案にあっては、大人と子供との身長差に関わりのない共鳴胴の筒軸線方向に沿う奥行寸法は基準寸法のままであるため、奥行方向における共鳴音の損失を無くし、サイズの変更に起因する音の劣化を抑制し、最適な共鳴音を得ることができる。
【図面の簡単な説明】
【００２０】
【図１】本考案に係る二胡の一実施の形態における使用例を示す説明図である。
【図２】本考案に係る二胡の一実施の形態における共鳴胴を示し、（Ａ）は共鳴胴の正面図、（Ｂ）は共鳴胴の側面図、である。
【考案を実施するための形態】
【００２１】
以下、添付図面に示す実施の形態に基づき、本考案を詳細に説明する。
【００２２】
図１及び図２に示すように、二胡１は、筒状の共鳴胴部２と、共鳴胴部２に一端側が固定された琴棹部３と、を備え、演奏時には弓部４を対として音を奏でるものである。
【００２３】
なお、弓部４は、詳細な図示は省略するが、竹で作られた弓棹４１に馬の尻尾の毛を束ねた弓毛（図示せず）から構成され、弓棹４１の基端（手元側）に設けた調整部４２で弓毛の張力が調整される周知のものを用いることができる。
【００２４】
共鳴胴部２は、胴敷２１の上面に固定された筒状の共鳴胴２２と、共鳴胴２２の一方の端面を構成する正面視多角形状の被覆面部２３と、被覆面部２３の中心部に固定された琴駒２４と、被覆面部２３の下方寄りに設けられた控制綿２５と、を備える。
【００２５】
琴棹部３は、共鳴胴２２に一端側が固定された琴棹３１と、琴棹３１の他端側に上下で離間して設けられた糸巻部３２，３３から共鳴胴２２の被覆面部２３に向けて張られた２本の琴弦３４，３５と、琴棹３１の他端付近に設けられて琴棹３１の長さ方向中途部を支持する千斤３６と、を備える。
【００２６】
本実施の形態においては、二胡１は、共鳴胴２２の高さ寸法Ｌ２を基準寸法よりも所定寸法だけ低くするとともに、共鳴胴２２の高さ寸法Ｌ２を含む琴棹３１の長さ寸法Ｌ１を基準寸法よりも所定寸法だけ短く、構成している。
【００２７】
具体的には、共鳴胴２２の高さ寸法Ｌ２は、９０ｍｍである基準寸法に対して８５ｍｍとしている。また、共鳴胴２２の高さ寸法Ｌ２を含む琴棹３１の長さ寸法Ｌ１は、８２ｃｍである基準寸法に対して７０ｃｍとしている。なお、共鳴胴２２の筒軸線方向に沿う奥行寸法Ｌ３は、１３０ｍｍである基準寸法と同じとしている。
【００２８】
図２（Ａ）に示すように、共鳴胴２２の一方のタン面の形状は、図２（Ａ）の二点鎖線で示す円を内接円として各角部をＲ状とした略正六角形状とされ、琴棹３１を垂直と仮定した場合にその対向する２辺を略水平としている。したがって、共鳴胴２２の高さ寸法Ｌ２は、内接円の直径に等しい。
【００２９】
共鳴胴２２の胴体部分は、中空の筒状とされるとともに、その中途部を必要に応じて一方の端面よりも縮径又は拡径としている。共鳴胴２２の他方の端面は閉塞している。したがって、共鳴胴２２は、例えば、職人の手作業によって、紫檀、黒檀、紅木等の比較的堅い木材を繰り抜き等によって加工される。
【００３０】
被覆面部２３は、例えば、ニシキヘビ等の蛇皮とされているが、他の動物の皮や人工の皮で構成してもよい。
【００３１】
琴駒２４は、琴弦３４，３５の振動波を被覆面部２３に伝動する部品である。琴駒２４の材質は、木や竹を用い、一般的には、楓材や松材が用いられている。
【００３２】
琴駒２４は、交換が可能であり、例えば、比較的新しい二胡１の場合には、硬くシャープな音色となるために楓や松系の軟木で底面の小さく低めのものを使用する。逆に、年月の経って被覆面部２３の張りが緩み、音色が重く濁ったような二胡１の場合には、硬木で底面の大きめの背の高い琴駒２４を使用する。
【００３３】
琴駒２４の形状や大きさ等は、二胡１の状態と奏者の感性によって適宜のものが使われる。一般的には正面視略真円形状であるが、楕円や長方形、或いは、門形でもよい。
【００３４】
控制綿２５は、副駒とも称され、琴駒２４よりも下方で被覆面部２３と琴弦３４，３５との間に挟まれる。控制綿２５は、ノイズを無くす役割を果たし、フェルトやスポンジ等を用いている。
【００３５】
琴棹３１は、他端側である上端が屈曲されており、一端側は共鳴胴２２の内部に配置された、例えば、胴敷２１に固定される。琴棹３１は、例えば、共鳴胴２２の被覆面部２３から筒軸方向に沿って所定の奥行き寸法Ｌ４だけ離れた位置で共鳴胴２２の内部に配置されている。なお、奥行き寸法Ｌ４は、琴棹３１の太さ寸法Ｌ５（例えば、１３ｍｍ）よりも長い寸法（例えば、２５ｍｍ）としている。
【００３６】
本実施の形態に係る二胡１は、共鳴胴２２の高さ寸法Ｌ２を基準寸法よりも所定寸法だけ小さくするとともに、共鳴胴２２の高さ寸法Ｌ２を含む琴棹３１の長さ寸法Ｌ１を基準寸法よりも所定寸法だけ小さく、構成しているため、図1に示すように、身長の低い子供であっても、演奏し易くなっている。
【００３７】
この際、二胡１は、例えば、周知の分数バイオリンのように、縮尺率が全体で一定でなく、共鳴胴２２の高さ寸法Ｌ２を基準寸法よりも所定寸法だけ低くするとともに、共鳴胴２２の高さ寸法Ｌ２を含む琴棹３１の長さ寸法Ｌ１を基準寸法よりも所定寸法だけ短くしていることから、共鳴胴２２の高さ寸法Ｌ２を低くする縮尺率（約６％）よりも琴棹３１の長さ寸法Ｌ１を短くする縮尺率縮尺率（約１５％）を大きくすることができ、共鳴胴２２の寸法を変更する割合を小さくすることができる。
【００３８】
これにより、二胡１の全体を子供用のサイズとしたものでありながら、サイズの変更に起因する音の劣化を抑制し、好適な共鳴音を得ることができる。
【００３９】
また、具体的には、共鳴胴２２の高さ寸法Ｌ２は、９０ｍｍである基準寸法に対して８５ｍｍとしている。また、共鳴胴２２の高さ寸法Ｌ２を含む琴棹３１の長さ寸法Ｌ１は、８２ｃｍである基準寸法に対して７０ｃｍとしている。
【００４０】
これにより、共鳴胴２２の高さ寸法Ｌ２の縮尺率（約６％）に対して、共鳴胴２２の高さ寸法Ｌ２を含む琴棹３１の長さ寸法Ｌ１の縮尺率（約１５％）を大きくしたことにより、共鳴胴２２を縮尺したことに起因する共鳴音の損失を最小限に留めることができ、音の劣化を抑制し、より好適な共鳴音を得ることができる。
【００４１】
しかも、共鳴胴２２の筒軸線方向に沿う奥行寸法Ｌ３は、１３０ｍｍである基準寸法と同じとしている。
【００４２】
これにより、大人と子供との身長差に関わりのない共鳴胴２２の筒軸線方向に沿う奥行寸法Ｌ３は基準寸法のままであるため、奥行方向における共鳴音の損失を無くし、サイズの変更に起因する音の劣化を抑制し、最適な共鳴音を得ることができる。
【符号の説明】
【００４３】
１…二胡
２…共鳴胴
２１…胴敷
２２…共鳴胴
２３…被覆面部
２４…琴駒
２５…控制綿
３…琴棹部
３１…琴棹
３２…糸巻部
３３…糸巻部
３４…琴弦
３５…琴弦
３６…千斤
４…弓部
４１…弓棹
４２…調整部
Ｌ１…琴棹の長さ寸法
Ｌ２…共鳴胴の高さ寸法
Ｌ３…共鳴胴の奥行寸法
Ｌ４…奥行寸法
Ｌ５…太さ寸法
【図１】
0003218556.tif 000003
【図２】
0003218556.tif 000004
【手続補正書】
【提出日】平成30年8月24日(2018.8.24)
【手続補正１】
【補正対象書類名】明細書
【補正対象項目名】全文
【補正方法】変更
【補正の内容】
【考案の詳細な説明】
【技術分野】
【０００１】
本考案は、二胡に関し、特に、子供用に適した二胡に関する。
【背景技術】
【０００２】
従来から、胡琴類の楽器として中国の琴弦楽器である二胡が知られている、この二胡は、二本の琴弦を、主として馬の尾の毛を張った弓でこすることで演奏する楽器である。
【０００３】
また、このような二胡は周知であり、改良が施されたものも存在するが、いずれも大人用のものである（例えば、特許文献１，２参照）。
【０００４】
一方、同様に弓を用いて音を奏でるバイオリンは、世界的に広く普及していることと相まって、子供用に改良したものが周知である。この子供用のバイオリンは、幼児期から始める人も多いことから「分数バイオリン」と呼ばれている。
【０００５】
具体的には、大人用のフルサイズ（４／４サイズ）を基本として、子供の身長に合わせて順に３／４、２／４、１／４、１／８、（１／１０）、１／１６サイズがある。なお、１／１０サイズはもともとは存在していなかったが、１／８と１／１６とのサイズ差が大きいことから、その間のサイズとして後から設けられている。
【先行技術文献】
【特許文献】
【０００６】
【特許文献１】特開２０１０−４９２１９号公報
【特許文献２】実用新案登録第３２１０６７６号公報
【考案の概要】
【考案が解決しようとする課題】
【０００７】
しかしながら、このような先行技術文献に開示の二胡にあっては、バイオリンのように子供用が存在していないのが実情であった。
【０００８】
その結果、子供が二胡の奏法を学習する場合には、子供の体格には大きく、琴棹部の弦を指で押さえる際に、十分に押さえきれず、無理に弦を押さえようとすることにより、腕や手の体制や動作全体に不適切なクセが付き、成長した際にクセを修正しようとしてもなかなか修正することができないという問題があった。
【０００９】
なお、上述した分数バイオリンの場合、分数比率で全体を縮小しているために、高品質なバイオリンであってもフルサイズほど豊かな共鳴音が物理的に得られないという問題が生じていた。
【００１０】
本考案の課題は、上述のような課題を解決するために、子供用のサイズとしたものでありながら、サイズの変更に起因する音の劣化を抑制し、好適な共鳴音を得ることができる二胡を提供することにある。
【課題を解決するための手段】
【００１１】
本考案に係る二胡は、上記目的を達成のため、正面視多角形状の端面を構成する被覆面部を備える筒状の共鳴胴と、前記共鳴胴に一端側が固定された琴棹と、前記琴棹の他端側に設けられた糸巻部から前記共鳴胴の前記被覆面部に向けて張られた２本の琴弦と、前記琴棹の他端付近に設けられて前記琴棹の長さ方向中途部を支持する千斤と、前記被覆面部の中心部に固定されて前記琴弦を前記被覆面部から離間させる琴駒と、を備える二胡であって、前記共鳴胴の高さ寸法を９０ｍｍである基準寸法よりも所定寸法だけ小さくするとともに、前記共鳴胴の高さ寸法を含む前記琴棹の長さ寸法を８２ｃｍである基準寸法よりも所定寸法だけ小さくした、ものである。
【００１２】
本考案に係る二胡は、共鳴胴の高さ寸法を９０ｍｍである基準寸法よりも所定寸法だけ低くするとともに、共鳴胴の高さ寸法を含む琴棹の長さ寸法を８２ｃｍである基準寸法よりも所定寸法だけ短くした。
【００１３】
請求項２記載の考案は、前記共鳴胴の高さ寸法を９０ｍｍである基準寸法に対して８５ｍｍとし、前記共鳴胴の高さ寸法を含む前記琴棹の長さ寸法を８２ｃｍである基準寸法に対して７０ｃｍとした、ものである。
【００１４】
したがって、共鳴胴の高さ寸法の縮尺率（約６％）に対して、共鳴胴の高さ寸法を含む琴棹の長さ寸法の縮尺率（約１５％）を大きくした。
【００１５】
請求項３記載の考案は、前記共鳴胴の筒軸線方向に沿う奥行寸法を１３０ｍｍである基準寸法と同じとした、ものである。
【００１６】
したがって、大人と子供との身長差に関わりのない共鳴胴の筒軸線方向に沿う奥行寸法は基準寸法のままとした。
【考案の効果】
【００１７】
本考案によれば、共鳴胴の高さ寸法を９０ｍｍである基準寸法よりも所定寸法だけ低くするとともに、共鳴胴の高さ寸法を含む琴棹の長さ寸法を８２ｃｍである基準寸法よりも所定寸法だけ短くした、ことにより、子供用のサイズとしたものでありながら、サイズの変更に起因する音の劣化を抑制し、好適な共鳴音を得ることができる。
【００１８】
請求項２記載の考案にあっては、共鳴胴の高さ寸法Ｌ２の縮尺率（約６％）に対して、共鳴胴の高さ寸法を含む琴棹の長さ寸法Ｌ１の縮尺率（約１５％）を大きくしたことにより、共鳴音の損失を最小限に留めることができ、サイズの変更に起因する音の劣化を抑制し、より好適な共鳴音を得ることができる。
【００１９】
請求項３記載の考案にあっては、大人と子供との身長差に関わりのない共鳴胴の筒軸線方向に沿う奥行寸法は１３０ｍｍである基準寸法のままであるため、奥行方向における共鳴音の損失を無くし、サイズの変更に起因する音の劣化を抑制し、最適な共鳴音を得ることができる。
【図面の簡単な説明】
【００２０】
【図１】本考案に係る二胡の一実施の形態における使用例を示す説明図である。
【図２】本考案に係る二胡の一実施の形態における共鳴胴を示し、（Ａ）は共鳴胴の正面図、（Ｂ）は共鳴胴の側面図、である。
【考案を実施するための形態】
【００２１】
以下、添付図面に示す実施の形態に基づき、本考案を詳細に説明する。
【００２２】
図１及び図２に示すように、二胡１は、筒状の共鳴胴部２と、共鳴胴部２に一端側が固定された琴棹部３と、を備え、演奏時には弓部４を対として音を奏でるものである。
【００２３】
なお、弓部４は、詳細な図示は省略するが、竹で作られた弓棹４１に馬の尻尾の毛を束ねた弓毛（図示せず）から構成され、弓棹４１の基端（手元側）に設けた調整部４２で弓毛の張力が調整される周知のものを用いることができる。
【００２４】
共鳴胴部２は、胴敷２１の上面に固定された筒状の共鳴胴２２と、共鳴胴２２の一方の端面を構成する正面視多角形状の被覆面部２３と、被覆面部２３の中心部に固定された琴駒２４と、被覆面部２３の下方寄りに設けられた控制綿２５と、を備える。
【００２５】
琴棹部３は、共鳴胴２２に一端側が固定された琴棹３１と、琴棹３１の他端側に上下で離間して設けられた糸巻部３２，３３から共鳴胴２２の被覆面部２３に向けて張られた２本の琴弦３４，３５と、琴棹３１の他端付近に設けられて琴棹３１の長さ方向中途部を支持する千斤３６と、を備える。
【００２６】
本実施の形態においては、二胡１は、共鳴胴２２の高さ寸法Ｌ２を９０ｍｍである基準寸法よりも所定寸法だけ低くするとともに、共鳴胴２２の高さ寸法Ｌ２を含む琴棹３１の長さ寸法Ｌ１を８２ｃｍである基準寸法よりも所定寸法だけ短く、構成している。
【００２７】
具体的には、共鳴胴２２の高さ寸法Ｌ２は、９０ｍｍである基準寸法に対して８５ｍｍとしている。また、共鳴胴２２の高さ寸法Ｌ２を含む琴棹３１の長さ寸法Ｌ１は、８２ｃｍである基準寸法に対して７０ｃｍとしている。なお、共鳴胴２２の筒軸線方向に沿う奥行寸法Ｌ３は、１３０ｍｍである基準寸法と同じとしている。
【００２８】
図２（Ａ）に示すように、共鳴胴２２の一方のタン面の形状は、図２（Ａ）の二点鎖線で示す円を内接円として各角部をＲ状とした略正六角形状とされ、琴棹３１を垂直と仮定した場合にその対向する２辺を略水平としている。したがって、共鳴胴２２の高さ寸法Ｌ２は、内接円の直径に等しい。
【００２９】
共鳴胴２２の胴体部分は、中空の筒状とされるとともに、その中途部を必要に応じて一方の端面よりも縮径又は拡径としている。共鳴胴２２の他方の端面は閉塞している。したがって、共鳴胴２２は、例えば、職人の手作業によって、紫檀、黒檀、紅木等の比較的堅い木材を繰り抜き等によって加工される。
【００３０】
被覆面部２３は、例えば、ニシキヘビ等の蛇皮とされているが、他の動物の皮や人工の皮で構成してもよい。
【００３１】
琴駒２４は、琴弦３４，３５の振動波を被覆面部２３に伝動する部品である。琴駒２４の材質は、木や竹を用い、一般的には、楓材や松材が用いられている。
【００３２】
琴駒２４は、交換が可能であり、例えば、比較的新しい二胡１の場合には、硬くシャープな音色となるために楓や松系の軟木で底面の小さく低めのものを使用する。逆に、年月の経って被覆面部２３の張りが緩み、音色が重く濁ったような二胡１の場合には、硬木で底面の大きめの背の高い琴駒２４を使用する。
【００３３】
琴駒２４の形状や大きさ等は、二胡１の状態と奏者の感性によって適宜のものが使われる。一般的には正面視略真円形状であるが、楕円や長方形、或いは、門形でもよい。
【００３４】
控制綿２５は、副駒とも称され、琴駒２４よりも下方で被覆面部２３と琴弦３４，３５との間に挟まれる。控制綿２５は、ノイズを無くす役割を果たし、フェルトやスポンジ等を用いている。
【００３５】
琴棹３１は、他端側である上端が屈曲されており、一端側は共鳴胴２２の内部に配置された、例えば、胴敷２１に固定される。琴棹３１は、例えば、共鳴胴２２の被覆面部２３から筒軸方向に沿って所定の奥行き寸法Ｌ４だけ離れた位置で共鳴胴２２の内部に配置されている。なお、奥行き寸法Ｌ４は、琴棹３１の太さ寸法Ｌ５（例えば、１３ｍｍ）よりも長い寸法（例えば、２５ｍｍ）としている。
【００３６】
本実施の形態に係る二胡１は、共鳴胴２２の高さ寸法Ｌ２を９０ｍｍである基準寸法よりも所定寸法だけ小さくするとともに、共鳴胴２２の高さ寸法Ｌ２を含む琴棹３１の長さ寸法Ｌ１を８２ｃｍである基準寸法よりも所定寸法だけ小さく、構成しているため、図1に示すように、身長の低い子供であっても、演奏し易くなっている。
【００３７】
この際、二胡１は、例えば、周知の分数バイオリンのように、縮尺率が全体で一定でなく、共鳴胴２２の高さ寸法Ｌ２を基準寸法よりも所定寸法だけ低くするとともに、共鳴胴２２の高さ寸法Ｌ２を含む琴棹３１の長さ寸法Ｌ１を基準寸法よりも所定寸法だけ短くしていることから、共鳴胴２２の高さ寸法Ｌ２を低くする縮尺率（約６％）よりも琴棹３１の長さ寸法Ｌ１を短くする縮尺率縮尺率（約１５％）を大きくすることができ、共鳴胴２２の寸法を変更する割合を小さくすることができる。
【００３８】
これにより、二胡１の全体を子供用のサイズとしたものでありながら、サイズの変更に起因する音の劣化を抑制し、好適な共鳴音を得ることができる。
【００３９】
また、具体的には、共鳴胴２２の高さ寸法Ｌ２は、９０ｍｍである基準寸法に対して８５ｍｍとしている。また、共鳴胴２２の高さ寸法Ｌ２を含む琴棹３１の長さ寸法Ｌ１は、８２ｃｍである基準寸法に対して７０ｃｍとしている。
【００４０】
これにより、共鳴胴２２の高さ寸法Ｌ２の縮尺率（約６％）に対して、共鳴胴２２の高さ寸法Ｌ２を含む琴棹３１の長さ寸法Ｌ１の縮尺率（約１５％）を大きくしたことにより、共鳴胴２２を縮尺したことに起因する共鳴音の損失を最小限に留めることができ、音の劣化を抑制し、より好適な共鳴音を得ることができる。
【００４１】
しかも、共鳴胴２２の筒軸線方向に沿う奥行寸法Ｌ３は、１３０ｍｍである基準寸法と同じとしている。
【００４２】
これにより、大人と子供との身長差に関わりのない共鳴胴２２の筒軸線方向に沿う奥行寸法Ｌ３は基準寸法のままであるため、奥行方向における共鳴音の損失を無くし、サイズの変更に起因する音の劣化を抑制し、最適な共鳴音を得ることができる。
【符号の説明】
【００４３】
１…二胡
２…共鳴胴
２１…胴敷
２２…共鳴胴
２３…被覆面部
２４…琴駒
２５…控制綿
３…琴棹部
３１…琴棹
３２…糸巻部
３３…糸巻部
３４…琴弦
３５…琴弦
３６…千斤
４…弓部
４１…弓棹
４２…調整部
Ｌ１…琴棹の長さ寸法
Ｌ２…共鳴胴の高さ寸法
Ｌ３…共鳴胴の奥行寸法
Ｌ４…奥行寸法
Ｌ５…太さ寸法
【手続補正２】
【補正対象書類名】実用新案登録請求の範囲
【補正対象項目名】全文
【補正方法】変更
【補正の内容】
【実用新案登録請求の範囲】
【請求項１】
正面視多角形状の端面を構成する被覆面部を備える筒状の共鳴胴と、
前記共鳴胴に一端側が固定された琴棹と、
前記琴棹の他端側に設けられた糸巻部から前記共鳴胴の前記被覆面部に向けて張られた２本の琴弦と、
前記琴棹の他端付近に設けられて前記琴棹の長さ方向中途部を支持する千斤と、
前記被覆面部の中心部に固定されて前記琴弦を前記被覆面部から離間させる琴駒と、
を備える二胡であって、
前記共鳴胴の高さ寸法を９０ｍｍである基準寸法よりも所定寸法だけ小さくするとともに、
前記共鳴胴の高さ寸法を含む前記琴棹の長さ寸法を８２ｃｍである基準寸法よりも所定寸法だけ小さくした、ことを特徴とする二胡。
【請求項２】
前記共鳴胴の高さ寸法を９０ｍｍである基準寸法に対して８５ｍｍとし、
前記共鳴胴の高さ寸法を含む前記琴棹の長さ寸法を８２ｃｍである基準寸法に対して７０ｃｍとした、ことを特徴とする請求項１に記載の二胡。
【請求項３】
前記共鳴胴の筒軸線方向に沿う奥行寸法を１３０ｍｍである基準寸法と同じとした、ことを特徴とする請求項１又は請求項２に記載の二胡。